(57)【要約】【課題】  複数の画像データにロゴマーク等の色を統一すべき画像部分が含まれる場合に、当該画像部分の色を統一して画像形成することができる画像形成装置及び画像形成支援装置を提供する。【解決手段】  ＢＥＰ装置６００は、ＤＦＥ装置５００から出力されたプリントデータとスキャナ装置４１０から出力されたスキャンデータを入力する。プリントデータの画像がＧＵＩ８０に表示され、ユーザは該表示された画像から、ロゴーマーク等の特定画像の部分を指定する。指定された特定画像の部分と特徴が一致する画像部分をスキャンデータで表される画像から抽出する。抽出する際には、形状が特定画像と相似形であり、色差が所定範囲（α以下）である画像部分を抽出する。抽出された画像部分の色が、プリントデータの特定画像の色と同一になるように、該抽出された画像部分のデータを補正する。補正後にプリントデータ及びスキャンデータが合成され、合成されて得られた画像データが画像形成装置１１に出力される。【選択図】        図３
2005223380.tif 000002
【特許請求の範囲】
【請求項１】
入力した複数の画像データを合成する合成手段と、
前記複数の画像データのいずれかの画像データで表される画像内の、特定の画像部分を指定する指定手段と、
前記複数の画像データのうち前記特定の画像部分を指定した画像データを除く他の画像データで表される画像から、前記特定の画像部分と特徴が一致する画像部分を抽出する抽出手段と、
前記抽出手段により抽出された画像部分の色と前記特定の画像部分の色とが同一になるように、前記抽出された画像部分のデータ及び前記特定の画像部分のデータの少なくとも一方を前記合成前または合成後に補正する補正手段と、
前記補正後に前記合成手段により合成された画像データ、または前記合成後に前記補正手段により補正された画像データに基づいて画像を形成する画像形成手段と、
を備えた画像形成装置。
【請求項２】
前記抽出手段は、前記特定の画像部分と色差が所定範囲内にある画像部分、前記特定の画像部分の形状と相似形になる画像部分、または前記特定の画像部分と色差が所定範囲内にあり且つ前記特定の画像部分の形状と相似形になる画像部分を、前記特定の画像部分と特徴が一致する画像部分として抽出する請求項１記載の画像形成装置。
【請求項３】
前記所定の範囲は、前記特定の画像部分が無彩色の場合と有彩色の場合とで異なる請求項２記載の画像形成装置。
【請求項４】
入力した複数の画像データを合成する合成手段と、
前記複数の画像データの各々で表される複数の画像から、予め定められた特定の画像と特徴が一致する画像部分を抽出する抽出手段と、
前記抽出手段により抽出された各画像部分の色が同一になるように、前記抽出された画像部分のデータを前記合成前または合成後に補正する補正手段と、
前記補正後に前記合成手段により合成された画像データ、または前記合成後に前記補正手段により補正された画像データに基づいて画像を形成する画像形成手段と、
を備えた画像形成装置。
【請求項５】
前記抽出手段は、前記特定の画像と色差が所定範囲内にある画像部分、前記特定の画像の形状と相似形になる画像部分、または前記特定の画像と色差が所定範囲内にあり且つ前記特定の画像の形状と相似形になる画像部分を、前記特定の画像と特徴が一致する画像部分として抽出する請求項４記載の画像形成装置。
【請求項６】
前記所定の範囲は、前記特定の画像部分が無彩色の場合と有彩色の場合とで異なる請求項５記載の画像形成装置。
【請求項７】
画像形成装置の画像形成を支援する画像形成支援装置であって、
入力した複数の画像データを合成する合成手段と、
前記複数の画像データのいずれかの画像データで表される画像内の、特定の画像部分を指定する指定手段と、
前記複数の画像データのうち前記特定の画像部分を指定した画像データを除く他の画像データで表される画像から、前記特定の画像部分と特徴が一致する画像部分を抽出する抽出手段と、
前記抽出手段により抽出された画像部分の色と前記特定の画像部分の色とが同一になるように、前記抽出された画像部分のデータ及び前記特定の画像部分のデータの少なくとも一方を前記合成前または合成後に補正する補正手段と、
前記補正後に前記合成手段により合成された画像データ、または前記合成後に前記補正手段により補正された画像データを前記画像形成装置に出力する出力手段と、
を備えた画像形成支援装置。
【請求項８】
前記抽出手段は、前記特定の画像部分と色差が所定範囲内にある画像部分、前記特定の画像部分の形状と相似形になる画像部分、または前記特定の画像部分と色差が所定範囲内にあり且つ前記特定の画像部分の形状と相似形になる画像部分を、前記特定の画像部分と特徴が一致する画像部分として抽出する請求項７記載の画像形成支援装置。
【請求項９】
前記所定の範囲は、前記特定の画像部分が無彩色の場合と有彩色の場合とで異なる請求項８記載の画像形成支援装置。
【請求項１０】
画像形成装置の画像形成を支援する画像形成支援装置であって、
入力した複数の画像データを合成する合成手段と、
前記複数の画像データの各々で表される複数の画像から、予め定められた特定の画像と特徴が一致する画像部分を抽出する抽出手段と、
前記抽出手段により抽出された各画像部分の色が同一になるように、前記抽出された画像部分のデータを前記合成前または合成後に補正する補正手段と、
前記補正後に前記合成手段により合成された画像データ、または前記合成後に前記補正手段により補正された画像データを前記画像形成装置に出力する出力手段と、
を備えた画像形成支援装置。
【請求項１１】
前記抽出手段は、前記特定の画像と色差が所定範囲内にある画像部分、前記特定の画像の形状と相似形になる画像部分、または前記特定の画像と色差が所定範囲内にあり且つ前記特定の画像の形状と相似形になる画像部分を、前記特定の画像と特徴が一致する画像部分として抽出する請求項１０記載の画像形成支援装置。
【請求項１２】
前記所定の範囲は、前記特定の画像部分が無彩色の場合と有彩色の場合とで異なる請求項１１記載の画像形成支援装置。
【発明の詳細な説明】
【技術分野】
【０００１】
本発明は、画像形成装置及び画像形成支援装置に係り、例えばカラー複写機、ファクシミリ、またはプリンタ等、記録媒体上に画像を形成する所謂印刷機能を有する画像形成装置、及び画像形成装置の画像形成を支援する画像形成支援装置に関する。
【背景技術】
【０００２】
従来の印刷（例えばオフセット印刷）では、写植等の紙焼き（印画紙）、版下、網ネガ、網ポジ、ＰＳ版（刷版）等の中間成果物を生成し、これら中間成果物を元に印刷や製本等を行っていた。近年、ＤＴＰ（ＤｅｓｋＴｏｐ  Ｐｕｂｌｉｓｈｉｎｇ  ／Ｐｒｅｐｒｅｓｓ）の普及によって、ＤＴＰデータから直接印刷する「ダイレクト印刷」または「オンデマンド印刷」が知られている。ＤＴＰでは、ページレイアウトをコンピュータ上で処理して得た印刷データを印画紙や製版フィルム等に形成し、これに基づいて刷版を作成して印刷する処理が普及している。また、中間成果物を生成せずに電子データにより直接刷版を形成するＣＴＰ（Ｃｏｍｐｕｔｅｒ  Ｔｏ  Ｐｌａｔｅ）も注目されている。このような印刷処理に用いることが可能なものとして、プリンタ装置や複写装置等の印刷機能を備えた画像形成装置が知られている。近年の画像形成装置は、画質向上が高まると共にカラー化され、例えば、電子写真プロセス（ゼログラフィ）を用いたカラープリンタ装置は、高品質かつ高速な画像形成が可能である。この画像形成装置では、印刷データを受け取り刷版等を生成せずに印刷物を出力することができる。
【０００３】
図５は、従来の画像形成システムの概略図である。図５（Ａ）に全体構成図を示すように、画像形成システムは、画像形成装置１１と、画像形成装置１１に印刷データを渡し印刷指示をするＤＦＥ（Ｄｉｇｉｔａｌ  Ｆｒｏｎｔ  Ｅｎｄ  Ｐｒｏｃｅｓｓｏｒ）装置とから構成されている。また、図５（Ｂ）にはデータの流れを示した。
【０００４】
ＤＦＥ装置は、描画機能とプリンタコントローラ（印刷制御装置）機能とを備えており、例えばページ記述言語（ＰＤＬ：Ｐａｇｅ  Ｄｅｓｃｒｉｐｔｉｏｎ  Ｌａｎｇｕａｇｅ）で記述された印刷データをクライアント端末から順次受け取り、この印刷データをラスターイメージに変換（ＲＩＰ処理；Ｒａｓｔｅｒ  Ｉｍａｇｅ  Ｐｒｏｃｅｓｓ）し、さらにＲＩＰ処理済みのイメージデータ及び印刷枚数や用紙サイズ等の印刷制御情報（ジョブチケット）を画像形成装置１１に送り、画像形成装置１１のプリントエンジンや用紙搬送系を制御して、画像形成装置１１に印刷処理を実行させる。すなわち、画像形成装置１１の印刷動作は、ＤＦＥ装置によるプリンタコントローラによって制御される。印刷データは、カラー印刷用の基本色の、イエロ（Ｙ）、シアン（Ｃ）、マゼンタ（Ｍ）の３色と、ブラック（Ｋ）とを合わせた４色（ＹＭＣＫ）分が画像形成装置１１に送られる。
【０００５】
画像形成装置１１は、電子写真プロセスを利用して画像を印刷用紙に記録するもので、ＩＯＴ（Ｉｍａｇｅ  Ｏｕｔｐｕｔ  Ｔｅｒｍｉｎａｌ）モジュール１２、ＩＯＴモジュール１２に連結されたフィードモジュール（ＦＭ；Ｆｅｅｄｅｒ  Ｍｏｄｕｌｅ；給紙モジュール）１５、出力モジュール１７、タッチパネル等を含んで各種データの入力支援をするためのユーザインターフェース装置１８、を備えている。ＩＯＴモジュール１２は、ＹＭＣＫ分のトナーカートリッジ２４が搭載されたトナー供給部２２と、ＩＯＴコア部２０とを有する。ＩＯＴコア部２０は、光走査装置や感光体ドラム等を有するプリントエンジン（印字ユニット）３０を色毎でかつベルト回転方向に一列に配置した所謂タンデム構成になっており、プリントエンジン３０を制御する電気回路等を収容する電気系制御収納部３９を備えている。ＩＯＴコア部２０では、感光体ドラム上のトナー像を中間転写ベルト４３に転写（１次転写）した後、トナー像を印刷用紙に転写（２次転写）することにより、ＹＭＣＫの各色トナー像が多重転写される。中間転写ベルト４３上に転写された画像（トナー像）は、所定のタイミングでフィードモジュール１５から搬送されてきた印刷用紙上に転写され、定着器（Ｆｕｓｅｒ）７０によりトナー像が用紙上に溶融定着される。その後、排紙処理装置７２を経由して機外へ排出される。また、両面印刷時には、片面に印刷済みの用紙が排紙トレイ（スタッカ）７４に一時的に保持され、排紙トレイ７４から引き出され、反転搬送路４９を介して反転されて再度ＩＯＴコア部２０に渡される。
【０００６】
このシステムを用いた場合、画像形成処理（プリント処理）の高性能化や高速化の要求（例えば、１００枚〜２００枚／分以上のカラー印刷）を実現するためには、画像形成装置の対応のみならず、ＲＩＰ処理や出力側の画像記録部に対する印刷制御部分であるプリンタコントローラ（ＤＦＥ装置）も高速・高性能化が必要である。
【０００７】
ところが、ＤＦＥ装置は、クライアント端末からのＰＤＬデータに対するＲＩＰ処理だけでなく、印刷ジョブに従ったページ再配置（昇順／降順の並び替え、両面印刷時の処理ページ順決定、フィニッシャ対応の位置づらし等）や、プリントエンジンや定着器等の出力側の処理特性に応じたデータ変換（例えばグレイバランスや色ズレ校正等）等の、付加処理も実行するようになっている。付加処理を実行するためには画像形成装置の特性に合わせた高度な処理が必要となるが、該処理を実行しつつ高速・高性能化を実現するために、従来はＤＦＥ装置と画像形成装置１１との間を専用の通信プロトコルで接続した専用かつ独立の装置構成を採用していた。
【０００８】
しかしながら、専用の装置を個別に用意する必要があり、システム全体がコスト高になるとともに、汎用性にかけていた。
【０００９】
そこで、近年、出力側に依存した制御をするプリンタコントローラ機能を備えた画像形成支援装置（バックエンドプロセッサ）をＤＦＥ装置（フロントエンドプロセッサ）及び画像形成装置の間に設け、該画像形成支援装置がフロントエンドプロセッサから送られたイメージデータを受け取ると、出力側の処理特性に応じて順次イメージデータを画像形成装置へ送るとともに、画像形成装置を制御して印刷処理をさせるシステムも提案されている。これにより、クライアントからの要求に基づく出力形態に適合した処理やリカバリ処理などをする際には、フロントエンドプロセッサと無関係に、対応することができる。
【００１０】
ところで、画像形成装置１１には、ＤＦＥ装置によりＰＤＬデータ（電子原稿）をＲＩＰ処理して得たイメージデータの他に、スキャナ装置により原稿（紙原稿）を読取って得たイメージデータも入力可能に構成されているものもある。すなわち、クライアント端末から入力されたＰＤＬデータに基づいて印刷を行う所謂プリンタ機能だけではなく、スキャナ装置による読取結果に基づいて印刷を行う所謂コピー機能も備えた画像形成装置もある。
【００１１】
このような画像形成装置には、電子原稿のみまたは紙原稿のみから構成された画像データが入力される場合もあるが、電子原稿と紙原稿とが混在する画像データが入力される場合もあり、従来より、電子原稿と紙原稿とが混在する画像データを１つの冊子として印刷するための技術が提案されている（特許文献１参照）。
【特許文献１】特開２０００−２３１２７９号公報
【発明の開示】
【発明が解決しようとする課題】
【００１２】
画像形成装置の印刷結果は、ＤＦＥ装置やスキャナ装置といった画像データを入力するための入力装置毎に色味が異なることが知られている。しかしながら、従来の電子原稿と紙原稿とが混在する画像データを１つの冊子として印刷するための技術は、単に、プリンタ機能とコピー機能とを切り替えて動作させることで、電子原稿に基づく印刷結果中に紙原稿に基づく印刷結果を挿入させるものであり、入力装置毎の色味の違いを考慮したものではなかった。
【００１３】
このため、電子原稿と紙原稿の両者に同一の画像部分が含まれる場合に、当該画像部分に入力装置毎の色差が生じてしまうという問題があった。例えば、全ページに同一のロゴマークを印刷する場合には、電子原稿による画像データと紙原稿による画像データの両者に同一のロゴマークを示す画像部分が含まれるが、この電子原稿と紙原稿とが混在する画像データを１つの冊子として印刷すると、ページ毎にロゴマークの色味が異なり違和感が生じていた。
【００１４】
また、従来の画像形成支援装置に、上記電子原稿と紙原稿とが混在する画像データを１つの冊子として印刷するための技術を採用したとしても、同様の問題は発生する。
本発明は、上記事情に鑑みてなされたものであり、複数の画像データにロゴマーク等の色を統一すべき画像部分が含まれる場合に、当該画像部分の色を統一して画像形成することができる画像形成装置及び画像形成支援装置を提供することを目的とする。
【課題を解決するための手段】
【００１５】
上記目的を達成するために本発明の第１の画像形成装置は、入力した複数の画像データを合成する合成手段と、前記複数の画像データのいずれかの画像データで表される画像内の、特定の画像部分を指定する指定手段と、前記複数の画像データのうち前記特定の画像部分を指定した画像データを除く他の画像データで表される画像から、前記特定の画像部分と特徴が一致する画像部分を抽出する抽出手段と、前記抽出手段により抽出された画像部分の色と前記特定の画像部分の色とが同一になるように、前記抽出された画像部分のデータ及び前記特定の画像部分のデータの少なくとも一方を前記合成前または合成後に補正する補正手段と、前記補正後に前記合成手段により合成された画像データ、または前記合成後に前記補正手段により補正された画像データに基づいて画像を形成する画像形成手段と、を備えている。
【００１６】
すなわち、第１の画像形成装置には、入力した複数の画像データを合成する合成手段が設けられる。複数の画像データは、例えば、印刷ジョブから画像データを生成するプロセッサや、原稿を読み取ることにより画像データを得るスキャナ装置等、異なる入力装置から入力された画像データとすることができる。
【００１７】
更に、入力した複数の画像データのいずれかの画像データで表される画像内の、特定の画像部分を指定する指定手段が設けられる。該指定手段により、利用者は、特定の画像部分を任意に指定することができる。例えば、各ページ毎に共通して存在するようなロゴマークや会社名、図柄などの画像部分を特定の画像部分として指定することができる。抽出手段は、指定された特定の画像部分と特徴が一致する画像部分を、複数の画像データのうち特定の画像部分を指定した画像データを除く他の画像データで表される画像から抽出する。
【００１８】
補正手段は、抽出された画像部分のデータ及び特定の画像部分のデータの少なくとも一方を合成前または合成後に補正する。例えば、抽出された画像部分の色が特定の画像部分の色に変更されるように、抽出された画像部分のデータのみを補正してもよいし、逆に、特定の画像部分の色が抽出された画像部分の色に変更されるように特定の画像部分のデータのみを補正してもよい。また、抽出された画像部分の色及び特定の画像部分の色が互いの色とは異なる他の色に変更されるように、抽出された画像部分のデータ及び特定の画像部分のデータの双方を補正するようにしてもよい。なお、補正手段による補正処理は、合成手段の合成前または合成後に行われる。
【００１９】
画像形成手段は、補正手段の補正後に合成手段により合成された画像データ、または合成手段の合成後に補正手段により補正された画像データに基づいて画像を形成する。
【００２０】
これにより、複数の画像データにロゴマーク等の色を統一すべき画像部分が含まれる場合に、当該画像部分の色を統一して画像形成することができる。
【００２１】
また、上記第１の画像形成装置において、前記抽出手段は、前記特定の画像部分と色差が所定範囲内にある画像部分、前記特定の画像部分の形状と相似形になる画像部分、または前記特定の画像部分と色差が所定範囲内にあり且つ前記特定の画像部分の形状と相似形になる画像部分を、前記特定の画像部分と特徴が一致する画像部分として抽出することができる。更に、前記所定の範囲は、前記特定の画像部分が無彩色の場合と有彩色の場合とで異ならせることができる。
【００２２】
これにより、抽出手段は、各画像データに共通して存在するようなロゴマークや図柄等を効率的に抽出することができる。
【００２３】
また、本発明の第２の画像形成装置は、入力した複数の画像データを合成する合成手段と、前記複数の画像データの各々で表される複数の画像から、予め定められた特定の画像と特徴が一致する画像部分を抽出する抽出手段と、前記抽出手段により抽出された各画像部分の色が同一になるように、前記抽出された画像部分のデータを前記合成前または合成後に補正する補正手段と、前記補正後に前記合成手段により合成された画像データ、または前記合成後に前記補正手段により補正された画像データに基づいて画像を形成する画像形成手段と、を備えている。
【００２４】
すなわち、第２の画像形成装置では、特定の画像を予め定めておく。例えば、色を統一すべきロゴマーク等の特定の画像の画像データを予め登録しておけばよい。この特定の画像と特徴が一致する画像部分を、入力した複数の画像データから抽出し、該抽出された各画像部分の色が同一になるように、抽出された画像部分のデータを合成手段の合成前または合成後に補正する。
【００２５】
例えば、画像に含まれるロゴマークの色を統一する場合、入力した複数の画像データが２種類の入力装置から入力した画像データであれば、一方のロゴマークの色が他方のロゴマークの色に変更されるように、一方の入力装置のみから入力した画像データの前記抽出した画像部分のデータを補正するようにしてもよいし、双方のロゴマークの色が互いの色とは異なる他の色に変更されるように、双方の入力装置から入力した画像データの前記抽出した画像部分のデータを補正するようにしてもよい。すなわち、前者の場合には、他方の入力装置から入力した画像データを補正する必要はないが、後者の場合には、双方の入力装置から入力した画像データを補正する。いずれの場合であっても、複数の画像データにロゴマーク等の色を統一すべき画像部分が含まれる場合に、当該画像部分の色を統一して画像形成することができる。
【００２６】
上記第２の画像形成装置において、前記抽出手段は、前記特定の画像と色差が所定範囲内にある画像部分、前記特定の画像の形状と相似形になる画像部分、または前記特定の画像と色差が所定範囲内にあり且つ前記特定の画像の形状と相似形になる画像部分を、前記特定の画像と特徴が一致する画像部分として抽出することができる。更に、前記所定の範囲は、前記特定の画像部分が無彩色の場合と有彩色の場合とで異ならせることができる。
【００２７】
これにより、抽出手段は、各画像データに共通して存在するようなロゴマークや図柄等を効率的に抽出することができる。
【００２８】
また、本発明の第１の画像形成支援装置は、画像形成装置の画像形成を支援する画像形成支援装置であって、入力した複数の画像データを合成する合成手段と、前記複数の画像データのいずれかの画像データで表される画像内の、特定の画像部分を指定する指定手段と、前記複数の画像データのうち前記特定の画像部分を指定した画像データを除く他の画像データで表される画像から、前記特定の画像部分と特徴が一致する画像部分を抽出する抽出手段と、前記抽出手段により抽出された画像部分の色と前記特定の画像部分の色とが同一になるように、前記抽出された画像部分のデータ及び前記特定の画像部分のデータの少なくとも一方を前記合成前または合成後に補正する補正手段と、前記補正後に前記合成手段により合成された画像データ、または前記合成後に前記補正手段により補正された画像データを前記画像形成装置に出力する出力手段と、を備えている。
【００２９】
すなわち、第１の画像形成支援装置は、第１の画像形成装置と同様に、複数の画像データのいずれかの画像データで表される画像内から特定の画像部分を指定し、該指定した特定の画像部分と特徴の一致する画像部分を他の画像データから抽出する。抽出された画像部分の色と特定の画像部分の色とが同一になるように、各画像データの合成前または合成後に補正する。
【００３０】
更に第１の画像形成支援装置は、補正された後に合成された画像データ、或いは合成された後に補正された画像データを画像形成装置に出力する。
【００３１】
これにより、画像形成装置では、複数の画像データにロゴマーク等の色を統一すべき画像部分が含まれる場合に、当該画像部分の色を統一して画像形成することができる。
【００３２】
上記第１の画像形成支援装置において、前記抽出手段は、前記特定の画像部分と色差が所定範囲内にある画像部分、前記特定の画像部分の形状と相似形になる画像部分、または前記特定の画像部分と色差が所定範囲内にあり且つ前記特定の画像部分の形状と相似形になる画像部分を、前記特定の画像部分と特徴が一致する画像部分として抽出することができる。更に、前記所定の範囲は、前記特定の画像部分が無彩色の場合と有彩色の場合とで異ならせることができる。
【００３３】
これにより、抽出手段は、各画像データに共通して存在するようなロゴマークや図柄等を効率的に抽出することができる。
【００３４】
本発明の第２の画像形成支援装置は、画像形成装置の画像形成を支援する画像形成支援装置であって、入力した複数の画像データを合成する合成手段と、前記複数の画像データの各々で表される複数の画像から、予め定められた特定の画像と特徴が一致する画像部分を抽出する抽出手段と、前記抽出手段により抽出された各画像部分の色が同一になるように、前記抽出された画像部分のデータを前記合成前または合成後に補正する補正手段と、前記補正後に前記合成手段により合成された画像データ、または前記合成後に前記補正手段により補正された画像データを前記画像形成装置に出力する出力手段と、を備えている。
【００３５】
すなわち、第２の画像形成支援装置では、第２の画像形成装置と同様に、特定の画像を予め定めておく。例えば、色を統一すべきロゴマーク等の特定の画像の画像データを予め登録しておけばよい。この特定の画像と特徴が一致する画像部分を、入力した複数の画像データから抽出し、該抽出された各画像部分の色が同一になるように、画像部分のデータを合成手段の合成前または合成後に補正する。
【００３６】
更に第２の画像形成支援装置は、補正された後に合成された画像データ、或いは合成された後に補正された画像データを画像形成装置に出力する。
【００３７】
これにより、画像形成装置では、複数の画像データにロゴマーク等の色を統一すべき画像部分が含まれる場合に、当該画像部分の色を統一して画像形成することができる。
【００３８】
上記第２の画像形成支援装置において、前記抽出手段は、前記特定の画像と色差が所定範囲内にある画像部分、前記特定の画像の形状と相似形になる画像部分、または前記特定の画像と色差が所定範囲内にあり且つ前記特定の画像の形状と相似形になる画像部分を、前記特定の画像と特徴が一致する画像部分として抽出することができる。更に、前記所定の範囲は、前記特定の画像部分が無彩色の場合と有彩色の場合とで異ならせることができる。
【００３９】
これにより、抽出手段は、各画像データに共通して存在するようなロゴマークや図柄等を効率的に抽出することができる。
【発明の効果】
【００４０】
以上のように、本発明によれば、複数の画像データにロゴマーク等の色を統一すべき画像部分が含まれる場合に、当該画像部分の色を統一して画像形成することができる、という優れた効果を有する。
【発明を実施するための最良の形態】
【００４１】
以下、図面を参照して本発明の実施の形態について詳細に説明する。
【００４２】
〔画像形成システム〕
図１は、本実施の形態に係る画像形成システムの全体概略構成を示す図である。画像形成システムは、汎用の通信プロトコルによる高速ＬＡＮ（Ｌｏｃａｌ  Ａｒｅａ  Ｎｅｔｗｏｒｋ）を備えており、高速ＬＡＮには例えばページ記述言語（ＰＤＬ）で記述された電子データ（印刷データ）を入力するためのクライアント端末４００，４０２が接続されている。クライアント端末４００，４０２は、異なるオペレーティングシステム（ＯＳ）下で各種アプリケーションプログラムを実行可能なコンピュータである。この高速ＬＡＮには、原稿の画像を読み取りその画像データを出力するスキャナ装置４１０も接続されている。また、高速ＬＡＮには、ＤＦＥ装置５００，５０２，５０４，５０６，５０８、詳細を後述する本発明の画像形成支援装置としてのＢＥＰ（Ｂａｃｋ  Ｅｎｄ  Ｐｒｏｃｅｓｓｏｒ：バックエンドプロセッサ）装置６００，６０２，６０４、電子データで直接刷版を作成するＣＴＰ装置７０２が接続されている。
【００４３】
ＣＴＰ装置７０２で作成された刷版を用いてプレス装置７１０において印刷がなされる。また、このＣＴＰ装置７０２に並列的に（高速ＬＡＮに）ＢＥＰ装置６００が接続される。このＢＥＰ装置６００には画像形成装置１１と同様の高速プリンタ７４６が接続される。
【００４４】
また、高速ＬＡＮに接続されたＢＥＰ装置６０４の出力側には、出力機７３０、同様の構成の高速プリンター７４０，７４２、ＣＴＰ装置７００が接続されている。出力機７３０、高速プリンター７４０、７４２からはプリント出力がなされ、ＣＴＰ装置７００では刷版が作成される。また、ＤＦＥ装置５０２は、ＢＥＰ装置６０２を介して同様の構成のプリンタプルーファ７２０，７２２に接続されている。プリンタプルーファ７２０，７２２は印刷のための出力確認用のものであり、画像形成装置として機能する場合がある。
【００４５】
また、ＤＦＥ装置５０４は高速プリンター７４４に接続され、ＤＦＥ装置５０４と高速プリンター７４４とはオンデマンド印刷処理を担当する部門を担っている。ＤＦＥ装置５０６は出力機７３２に接続され、ＤＦＥ装置５０８は大型出力機７５０に接続されている。ＤＦＥ装置５０６と出力機７３２からなる構成及びＤＦＥ装置５０８と大型出力機７５０からなる構成は、従来の画像形成装置の構成と同様である。
【００４６】
本実施の形態の画像形成システムでは、ＣＴＰと、ＰＯＤ（プリントオンデマンド）の機能を有する装置を同一のシステム内に混在可能な構成である。これは、本実施の形態にかかるＢＥＰ装置が、クライアントからの印刷データがラスタデータに変換（ＲＩＰ処理）された後のデータを、各種処理する機能を備えているためである。
【００４７】
〔構成例〕
上記構成による画像形成システムにおいて、クライアント端末４００、スキャナ装置４１０、ＤＦＥ装置５００、ＢＥＰ装置６００、及び高速プリンタ７４６（画像形成装置１１）の装置を利用して画像を形成する場合について説明する。
【００４８】
なお、ＤＦＥ装置５００は、クライアント端末４００からのデータをラスタデータに変換（ＲＩＰ処理）し、その変換後のラスタ画像を圧縮処理する機能を備えるが、本実施の形態では、画像形成装置１１に依存した印刷制御機能を果たすプリンタコントローラ機能を要求しない。すなわち、ＤＦＥ装置５００は、主にＲＩＰ処理の機能のみを有する構成でよい。
【００４９】
図２は、本発明に係る画像形成システムの一実施形態を示すブロック図である。図では、ＤＦＥ装置５００及びスキャナ装置４１０と画像形成装置１１との間にＢＥＰ装置６００を介在させたときのデータの流れが示されている。
【００５０】
ここで、ＤＦＥ装置５００から出力されるＹＭＣＫ形式の画像データと、スキャナ装置４１０から出力されるＲＧＢ形式の画像データとでは、各々の装置により色味が異なるため、各画像データにロゴマーク等の同一の特定画像が含まれる場合には、これら画像データをそのまま合成して１つの冊子として印刷してしまうと、ページ毎にロゴマークの色味が異なり違和感が生じてしまう。
【００５１】
従って、以下では、ＤＦＥ装置５００からのＹＭＣＫ形式の画像データ、及び、別途、紙原稿をスキャナ装置４１０で読み取って得られたＲＧＢ形式の画像データを、ＢＥＰ装置６００で各画像データの画像に含まれるロゴマークの色が統一されるように処理して合成し、１つの冊子として高速プリンタ７４６（画像形成装置１１）で印刷する例を、本発明に係る画像形成システムの一実施形態として説明する。
【００５２】
画像形成装置１１は、従来技術として図５に示されるように、ＩＯＴコア部２０を含むＩＯＴモジュール（ＩＯＴ本体）１２と、フィード（給紙）モジュール（ＦＭ；Ｆｅｅｄｅｒ  Ｍｏｄｕｌｅ）１５と、出力モジュール１７と、パソコン（ＰＣ）等のユーザインターフェース装置１８とを備える。なお、フィードモジュール１５は、多段構成としてもよい。また、必要に応じて、各モジュール間を連結する連結モジュールを設けてもよい。また、出力モジュール１７の後段に、フィニッシャ（Ｆｉｎｉｓｈｅｒ：後処理装置）モジュールを接続してもよい。フィニッシャモジュールとしては、例えば、用紙をスタック処理し、１個所以上を綴じるステープラを備えたもの、またはパンチ孔を穿設するパンチング機構を備えたもの等がある。
【００５３】
ＤＦＥ装置５００は、クライアント端末４００からＰＤＬで記述された印刷データ（以下ＰＤＬデータという）を受け取り、そのＰＤＬデータを一旦順次格納するデータ格納部５０１と、データ格納部５０１からＰＤＬデータを読み出して解釈しページ単位の画像データ（ラスタデータ）を生成（ラスタライズ）するＲＩＰ処理部５１０と、このＲＩＰ処理部５１０にて生成された画像データを所定のフォーマットにしたがって圧縮する圧縮処理部５３０とを備える。この圧縮処理部５３０の後段には、インターフェース部５４２が設けられている。ＲＩＰ処理部５１０では、ＰＤＬデータを展開して画像データを生成するため、ＲＩＰ処理部５１０には、ＰＤＬ解釈部およびイメージャとして機能するデコンポーザ、所謂ＲＩＰエンジンが組み込まれている。圧縮処理部５３０は、ＲＩＰ５１０からの画像データを圧縮し、圧縮済の画像データをＢＥＰ装置６００へ即時に転送する。なお、ＤＦＥ装置５００には、ＲＩＰ処理部５１０で生成された画像データをＹＭＣＫ色空間に変換するためのＹＭＣＫ変換部も設けられているが、ここでは図示を省略する。
【００５４】
なお、ＤＦＥ装置５００からＢＥＰ装置６００に送られるデータには、例えば、ＴＩＦＦ（Ｔａｇｇｅｄ  Ｉｍａｇｅ  Ｆｉｌｅ  Ｆｏｒｍａｔ）フォーマット等の圧縮されたラスタベースの画像ファイルデータの他、印刷部数、両面／片面、カラー／白黒、合成印刷、ソートの有無、ステープラの有無等印刷制御情報（ジョブチケット）等が含まれる。
【００５５】
スキャナ装置４１０は、ＣＣＤ（電荷結合素子）、Ａ／Ｄ（アナログ／デジタル）変換部等を含んで構成される画像読取部４１２と、読み取って得られたＲＧＢ形式の画像データを圧縮処理する圧縮処理部４１４とが備えられている。更に、圧縮処理部４１４の後段には、インターフェース部４１６が設けられ、圧縮された画像データは該インタフェース部４１６を介してＢＥＰ装置６００に転送される。
【００５６】
ＢＥＰ装置６００は、画像形成装置１１に依存した処理の制御機能を有する。この制御機能は、ユーザインターフェース装置により指示してもよく、予め定めておいてもよい。ユーザインターフェース装置により指示する場合、キーボード等の入力デバイスやユーザに画像を提示しつつ指示入力を受け付けるＧＵＩ（Ｇｒａｐｈｉｃ  Ｕｓｅｒ  Ｉｎｔｅｒｆａｃｅ）８０を設け、画像形成装置１１に依存した処理を指示するように構成する。
【００５７】
ＢＥＰ装置６００は、ＤＦＥ装置５００からのＲＩＰ処理済みのデータを利用することで、効率的な高速出力を可能としている。すなわち、ＢＥＰ装置６００は、ＤＦＥ装置５００から受け取った印刷制御情報に基づいてコマンドコード（Ｃｏｍｍａｎｄ  Ｃｏｄｅ）を生成し、画像形成装置１１内の各部の処理タイミングをエンジン特性に応じて制御する。また、ＢＥＰ装置６００は、ＩＯＴモジュール１２やフィードモジュール１５または出力モジュール１７等のエンジン特性に適合するようにスプール（Ｓｐｏｏｌ）処理を完結させてからＩＯＴモジュール１２に画像データを渡す。
【００５８】
なお、回転（Ｒｏｔａｔｉｏｎ）、１枚の用紙内へのページ割付（Ｎ−ＵＰ）、リピート処理、用紙サイズ合わせ、デバイス差を補正するＣＭＳ（Ｃｏｌｏｕｒ  Ｍａｎａｇｅｍｅｎｔ  Ｓｙｓｔｅｍ  ；  カラー管理システム）、解像度変換、コントラスト調整、圧縮率指定（低／中／高）等のＲＩＰ処理と関わりのある処理は、ＤＦＥ装置５００にて処理し、その制御コマンドをＢＥＰ装置６００へは通知しない（非通知）。
【００５９】
また、コレーション（帳合い）、両面印刷、スタンプ・パンチ・ステープラ等のフィニッシャ装置または用紙トレーと関わりのある位置合わせ処理、排出面（上下）合わせ、グレーバランスや色ズレ補正等のキャリブレーション処理、スクリーン指定処理等、画像形成装置１１の処理特性と関わりの強いもの（ＩＯＴ依存の処理）に関しては、その制御コマンドをＤＦＥ装置５００がスルーすることで、ＢＥＰ装置６００にて処理する。
【００６０】
このように、本実施形態のＤＦＥ装置側は１つのジョブ（ＪＯＢ）をエンジン特性に依存せずＲＩＰ処理した順にＢＥＰ装置側へ一方的に転送し、ＢＥＰ装置側で印刷用にページ再配置をする。
【００６１】
また、ＢＥＰ装置６００は、スキャナ装置４１０から受信した画像データと、ＤＦＥ装置５００から受信した画像データとを合成して印刷用の画像データを生成し、指定された画像形成装置１１に送信する。画像形成装置１１（ＩＯＴコア部２０）は、受信した印刷用の画像データに基づいて、１つの冊子として印刷することができる。
【００６２】
ここで、ＢＥＰ装置６００の具体的な構成を説明する。ＢＥＰ装置６００は、ＤＦＥ装置５００にて印刷ジョブやプリントエンジン３０の処理特性に無関係に処理された（例えばプリントエンジン３０の処理速度に非同期で処理された）圧縮済の画像データを受け取り保持する画像記憶部６０３と、画像記憶部６０３から圧縮済の画像データを読み出して、ＤＦＥ装置５００側の圧縮処理部５３０の圧縮処理に対応する伸張処理をし、この伸張処理済の画像データに画像処理を施してＩＯＴコア部２０側に送出する伸張処理部（画像編集部）６１０を備える。この伸張処理部６１０は、画像記憶部６０３から読み出し伸張処理した画像データに対して、画像回転や用紙上の画像位置の調整、または拡大もしくは縮小、複数の画像データの合成等、の画像編集機能を備えている。画像記憶部６０３の前段には、データ受信部６０１が設けられ、伸張処理部６１０の後段には、出力側のインターフェース部６５０が設けられている。
【００６３】
また、ＢＥＰ装置６００は、ＩＯＴコア部２０の処理性能に依存してＢＥＰ装置６００の各部やＩＯＴコア部２０を制御するプリンタコントローラとして機能する印刷制御部６２０を備える。印刷制御部６２０は、ＤＦＥ装置５００からのジョブチケットを解釈（デコード）、またはＧＵＩ部８０を介したユーザ指示を受けて、プリントエンジン３０や定着器７０またはフィニッシャの処理特性に応じて出力形態（ページ内の画像位置、画像データの合成の有無、またはページ排出順や向き等）を特定する出力形態特定部６２２と、特定した出力形態で印刷物が出力されるように、プリントエンジン３０や定着器７０またはフィニッシャ等の各部を制御すると共に、ＢＲＰ装置６００の各構成部を制御する制御部６２４とを備える。なお、ここでは、印刷制御部６２０は、ＣＰＵ、ＲＯＭ、ＲＡＭを含むマイクロコンピュータで構成され、制御部６２４及び出力形態特定部６２２は、ＲＯＭに記憶されたプログラムにより実現される。
【００６４】
図３は、ＢＥＰ装置６００の伸張処理部（画像編集部）６１０の詳細な構成と、データの流れを示したブロック図である。
【００６５】
伸張処理部６１０は、色変換部６１２と、抽出部６１４と、色補正部６１６と、画像合成部６１８を備える。なお、色変換部６１２の前段に、ＤＦＥ装置５００及びスキャナ装置４１０から入力した圧縮された画像データを伸張するための伸張部が設けられているが、ここでは図示を省略する。また、伸張処理部６１０には、色補正や画像合成以外の他の画像編集を行う手段も設けられているが、ここでは図示を省略する。
【００６６】
色変換部６１２は、スキャナ装置４１０から入力したＲＧＢ形式の画像データをＹＭＣＫ形式のデータに変換する。抽出部６１４は、該ＹＭＣＫ変換された画像データで表わされる画像から後述する特定画像と特徴の一致する画像部分を抽出する。なお、抽出部６１４は、形状判定部６１４Ａと色差判定部６１４Ｂとを備える。形状判定部６１４Ａは、形状から特定画像と特徴が一致するか否かを判定する。色差判定部６１４Ｂは、色差から特定画像と特徴が一致するか否かを判定する。これら判定部により、スキャナ装置４１０から出力されＹＭＣＫ変換された画像データで表わされる画像から特定画像と特徴が一致する画像部分が抽出される。色補正部６１６は、抽出部６１４で抽出された画像部分の色が、特定画像と同一の色になるように画像データを補正する。
【００６７】
画像合成部６１８は、制御部６２４から合成の指示を受けた場合に、ＤＦＥ装置５００から出力された画像データとスキャナ装置４１０から出力された画像データとが、１つの冊子として印刷されるように合成処理する。なお、合成指示を受けかなった場合には、各画像データは画像合成部６１８をスルーする。画像合成部６１８で合成された、またはスルーした画像データは、インタフェース部６５０から画像形成装置１１に出力される。
【００６８】
すなわち、ＤＦＥ装置５００で、ＲＩＰ処理部５１０にてページ記述言語からラスタライズされた（描画展開された）画像データ、また、スキャナ装置４１０で印刷原稿が読み取られて出力された画像データは、ＢＥＰ装置６００側へページ順に転送される。ＢＥＰ装置６００は、ＤＦＥ装置５００から転送された画像データを、一旦バッファとして機能する画像記憶部６０３に蓄積する。伸張処理部（画像編集部）６１０は、画像記憶部６０３から圧縮済の画像データを読み出して伸張処理するとともに、指定された印刷ジョブに従ってページデータを組み立てたり（ページデータの再配置）、合成処理したり、指示されたプリントエンジンへの転送準備をしたりする。そして、ＢＥＰ装置６００では、プリントエンジン３０の処理速度に同期して制御コマンドをやり取りしながら、エンジン生産性を最大限生かす速度でページデータを所定の順にＩＯＴコア部２０に送出する。
【００６９】
このように、各入力装置（ＤＦＥ装置５００、スキャナ装置４１０）側は画像データをエンジン特性に依存せず処理した順にＢＥＰ装置６００側へ一方的に転送することができる。そして、ＢＥＰ装置６００が、印刷用にページ再配置をする等印刷ジョブやプリントエンジン３０に依存した処理を担当する。
【００７０】
なお、以下では、ＤＦＥ装置５００から出力された画像データをプリントデータと呼称し、スキャナ装置４１０から出力された画像データをスキャンデータと呼称する。また、各装置から出力された画像データを区別せずに呼称する場合には、単に画像データと呼称する。
【００７１】
〔動作〕
以上のように構成された画像形成システムにおいて、ＢＥＰ装置６００の各構成部の動作を図４を参照しながら説明する。
【００７２】
図４は、ＢＥＰ装置６００で実行される合成処理ルーチンを示すフローチャートである。ステップ１００では、データ受信部６０１を介して、ＤＦＥ装置５００からプリントデータを受信（入力）し、スキャナ装置４１０からスキャンデータを受信（入力）する。受信された各画像データは、画像記憶部６０３に記憶される。所定のタイミングで、圧縮されたスキャンデータが画像記録部６０３から読み出されて伸張処理部６１０の不図示の伸張部で伸張された後、ステップ１０２で、色変換部６１２により、ＲＧＢ形式からＹＭＣＫ形式に変換する。
【００７３】
ステップ１０４では、出力形態特定部６２２がジョブチケットに含まれる情報から特定した出力形態の情報を制御部６２４に出力し、制御部６２４が、該情報に基づいて、プリントデータとスキャンデータを合成するか否かを判断する。なお、ＧＵＩ８０からユーザにより合成するか否かの指示を入力できるようにしてもよい。ここで、合成しないと判断した場合には、プリントデータとスキャンデータとを合成せずに、別々の束として印刷するように、ステップ１２０に移行して、プリントデータ及びスキャンデータを別々の画像データとして出力する。これにより、画像形成装置１１では、プリントデータ及びスキャンデータを個別に印刷する。
【００７４】
一方、ステップ１０４で、合成すると判断した場合には、伸張処理部６１０の不図示の伸張部が、画像記憶部６０３から圧縮されたプリントデータを読み出して伸張した後、ステップ１０６で、制御部６２４が、該プリントデータに基づいてＧＵＩ８０に画像を表示する。ユーザは、該表示されたプリントデータの画像を確認し、該画像から特定画像の部分をＧＵＩ８０から指定することができる。ここでは、特定画像としてロゴマークを例に挙げて説明する。
【００７５】
ステップ１０８では、制御部６２４は、ユーザにより特定画像の部分が指定されたか否かを判断する。ここで指定されたと判断した場合には、ステップ１１０で、制御部６２４は、ユーザにより指定された部分から、特定画像の形状と色の情報を取得する。
【００７６】
ステップ１１２では、制御部６２４は、取得した形状の情報から、抽出部６１４の形状判定部６１４Ａに対して、抽出すべき形状を指定し、形状判定部６１４Ａは、スキャンデータで表わされる画像から特定画像と相似形状の画像部分があるか否かを判定する。相似形状の画像部分があると判定した場合には、ステップ１１４で、制御部６２４は、特定画像の色の情報から、抽出部６１４の色判定部６１４Ｂに対して、特定画像との色差の範囲αを指定する。ここでは、ロゴマーク等の特定画像の色が無彩色と有彩色のいずれであるかに応じて、上記αの値を変更する。例えば、無彩色であればαの値を小さく、有彩色であればαの値を大きくする。色判定部６１４Ｂは、形状判定部６１４Ａで特定画像と相似形状であると判定された画像部分と、特定画像との色差がα未満であるか否かを判定する。ここで、色差がα未満であると判定した場合には、該画像部分は、スキャンデータで表される画像に含まれるロゴマークであると判定でき、抽出部６１４は該画像部分のデータをスキャンデータから抽出し、ステップ１１６で、色補正部６１６が、スキャンデータから抽出された画像部分の色が特定画像の色と同一になるように、スキャンデータの該画像部分のデータを補正する。
【００７７】
ステップ１１８では、画像合成部６１８が、補正したスキャンデータとプリントデータとを合成し、ステップ１２０で、合成した画像データをインタフェース部６５０を介して画像形成部１１に出力する。これにより、画像形成装置１１では、プリントデータ及びスキャンデータを合成した画像データに基づいて、１つの冊子として印刷処理することができる。上記のように、画像形成装置１１に出力される画像データは、ユーザが指定した特定画像としてのロゴマークの色が、プリントデータとスキャンデータとで統一されるように補正されているため、印刷された各ロゴマークに色差は発生せず、違和感が生じることはない。
【００７８】
なお、ステップ１０８で、表示された画像にロゴマークが含まれていなければ、ユーザは、特定画像の指定入力を行わないため、否定判断されて、ステップ１１８に移行し、画像合成部６１８で、抽出部６１４及び色補正部６１６をスルーしたスキャンデータと、プリントデータとを合成し、ステップ１２０で、インタフェース部６５０を介して画像形成装置１１に合成した画像データを出力する。
【００７９】
また、ステップ１１２及びステップ１１４で否定判断された場合には、特定画像がスキャンデータに含まれていないと判断でき、特定画像の色を統一するための処理（ステップ１１６の処理）は行わずに、ステップ１１８に移行し、画像合成部６１８でスキャンデータとプリントデータとを合成して、ステップ１２０で、インタフェース部６５０を介して画像形成装置１１に合成した画像データを出力する。
【００８０】
以上説明したように、ロゴマークのような特定画像の色が、プリントデータとスキャンデータとで同一の色となるように補正して合成するようにしたため、印刷された各ロゴマークに色差は発生せず、違和感が生じることはない。
【００８１】
なお、本発明は、上述した実施の形態に限定されるものではなく、特許請求の範囲に記載された範囲内で様々な設計上の変更を行うことができる。
【００８２】
例えば、上述した実施の形態では、ユーザが指定手段としてのＧＵＩ８０からロゴマーク等の特定画像の部分を指定する例について説明したが、予め色を統一する特定画像を登録しておいてもよい。このように予め登録しておいた場合には、登録されている特定画像の特徴と同一の画像部分をプリントデータで表される画像とスキャンデータで表される画像の双方から抽出し、該画像部分の色が全て同一となるように補正するように構成する。これにより、上記と同様の効果が得られる。
【００８３】
また、上述した実施の形態では、プリントデータとスキャンデータの合成前に、スキャンデータの抽出した画像部分のデータを補正する例について説明したが、合成後に補正するようにしてもよい。このように合成後に補正する場合には、補正すべき画像部分の位置をメモリ等に記憶しておき、合成後に、該記憶されている部分のデータを補正するように構成する。これによっても、上記と同様の効果が得られる。
【００８４】
また、上述した実施の形態では、スキャンデータで表される画像から抽出された画像部分の色が、プリントデータで表される画像から指定された特定の画像部分の色に変更されるように、スキャンデータの抽出された画像部分のデータを補正する例について説明したが、これに限定されず、例えば、逆に、特定の画像部分の色が、抽出された画像部分の色に変更されるように、プリントデータの特定の画像部分のデータを補正してもよい。
【００８５】
また、スキャンデータの抽出した画像部分の色及びプリントデータの特定画像の色が、双方の色とは異なる他の色となるように、スキャンデータ及びプリントデータの双方のデータを補正するようにしてもよい。これによっても、上記と同様の効果が得られる。
【００８６】
更にまた、上述した実施の形態では、特定画像の形状と相似形になる画像部分であって、特定画像との色差が所定範囲内（上記ではα未満）にある画像部分を、スキャンデータから抽出して補正する例について説明したが、これに限定されず、例えば、形状に拘らず単に色差が所定範囲内の画像部分を抽出するようにしてもよいし、色差に拘らず特定画像の形状と相似形になる画像部分を抽出するようにしてもよい。
【００８７】
なお、上述した実施の形態では、ＢＥＰ装置６００を介して、プリントデータ及びスキャンデータを画像形成装置１１に転送する例について説明したが、ＢＥＰ装置６００を介さずに画像形成装置１１が直接プリントデータ及びスキャンデータを受信し、受信した各画像データのロゴマークの色が統一されるように補正してから印刷処理するような構成とすることもできる。すなわち、上記ＢＥＰ装置６００に設けた印刷制御部や伸張処理部等の各機能を画像形成装置１１自体に設ける構成とすることもできる。このような構成によっても、上述と同様の効果が得られる。
【図面の簡単な説明】
【００８８】
【図１】本実施の形態に係る画像形成システムの全体構成を示す概略図である。
【図２】画像形成システムの一実施形態を示す図である。
【図３】ＢＥＰ装置の伸張処理部（画像編集部）の詳細な構成と、データの流れを示したブロック図である。
【図４】ＢＥＰ装置で実行される合成処理ルーチンのフローチャートである。
【図５】従来の画像形成システムの概略を示す図である。
【符号の説明】
【００８９】
１１  画像形成装置
８０  ＧＵＩ
４００  クライアント端末
４１０  スキャナ装置
５００  ＤＦＥ装置
６００  ＢＥＰ装置
６１０  伸張処理部
６１２  色変換部
６１４  抽出部
６１４Ａ  形状判定部
６１４Ｂ  色差判定部
６１６  色補正部
６１８  画像合成部
６２０  印刷制御部
６２２  出力形態特定部
６２４  制御部
７００  ＣＴＰ装置
７１０  プレス装置
７２０  プリンタプルーファ
７３０  出力機
７４０  高速プリンター
７５０  大型出力機
【図１】
2005223380.tif 000003
【図２】
2005223380.tif 000004
【図３】
2005223380.tif 000005
【図４】
2005223380.tif 000006
【図５】
2005223380.tif 000007